(57)【要約】【課題】  回転した表示部の向きに合わせて、操作部に割り当てられた機能を切り替えることにより、常に表示部を中心とした操作体系を使用者に提供する。【解決手段】  互いに直交する方向の２軸により回転する表示部１１０、及び上下左右４方向に対して互いに異なる複数の機能が割り当てられたキー操作部１１６を有する電子カメラ装置におけるキーアサイン変更方法であって、前記表示部の回転角度を検出するステップ（Ｓ１０４）と、前記検出された回転角度に応じて、前記操作部に割り当てられた複数の機能を変更するステップ（Ｓ１０９）とを備える。【選択図】図１０
2006279307.tif 000002
【特許請求の範囲】
【請求項１】
光学像を電気信号からなる画像に変換する撮影手段と、
前記撮影手段によって得られた画像を表示する表示手段と、
記録媒体を有し、前記撮影手段によって得られた画像を前記記録媒体に記録する記録手段と、
前記記録媒体に記録された画像を再生する再生手段と、
複数の機能が割り当てられ、前記複数の機能のうち１つを選択することにより、前記撮影手段と前記記録手段と前記再生手段に関する指示を含む動作指示を入力するための操作手段と、
前記表示手段を保持及び回転させるための１軸以上の軸を含む機構部と、
前記機構部により回転する前記表示手段の回転角度を検出する角度検出手段と、
前記角度検出手段により検出された回転角度に応じて、前記操作手段に割り当てられた複数の機能を変更する変更手段と、
を備えたことを特徴とする画像記録再生装置。
【請求項２】
前記変更手段の機能を有効にするか無効にするか切換える切替え手段を備えたことを特徴とする請求項１記載の画像記録再生装置。
【請求項３】
前記操作手段は、上下左右の４方向の傾きに対して互いに異なる機能が割り当てられた操作キーを具備することを特徴とする請求項１記載の画像記録再生装置。
【請求項４】
前記変更手段は、前記角度検出手段により検出された前記回転角度に応じて、前記操作キーに割り当てられた機能のうち、左右の２方向の傾きに対してそれぞれ割り当てられた機能を入れ替えることを特徴とする請求項３記載の画像記録再生装置。
【請求項５】
前記変更手段は、前記角度検出手段により検出された前記回転角度に応じて、前記操作キーに割り当てられた機能の方向をそれぞれ９０°変更することを特徴とする請求項３記載の画像記録再生装置。
【請求項６】
前記変更手段は、前記角度検出手段により検出された前記回転角度に応じて、前記表示手段に表示される画像を、上下反転する画像反転手段を具備することを特徴とする請求項１記載の画像記録再生装置。
【請求項７】
前記変更手段は、前記角度検出手段により検出された前記回転角度に応じて、前記表示手段に表示される画像を、上下左右反転する画像反転手段を具備することを特徴とする請求項１記載の画像記録再生装置。
【請求項８】
互いに直交する方向の２軸により回転する表示部、及び上下左右４方向に対して互いに異なる複数の機能が割り当てられたキー操作部を有する電子カメラ装置におけるキーアサイン変更方法であって、
前記表示部の回転角度を検出するステップと、
前記検出された回転角度に応じて、前記操作部に割り当てられた複数の機能を変更するステップと、
を備えたことを特徴とするキーアサイン変更方法。
【請求項９】
前記検出された前記回転角度に応じて、前記操作部に割り当てられた機能の方向をそれぞれ９０°変更することを特徴とする請求項８記載のキーアサイン変更方法。
【請求項１０】
前記検出された前記回転角度に応じて、前記操作部に割り当てられた機能のうち、左右の２方向に対してそれぞれ割り当てられた機能を入れ替えることを特徴とする請求項８記載のキーアサイン変更方法。
【発明の詳細な説明】
【技術分野】
【０００１】
この発明は、静止画像あるいは動画像を表示し１軸以上の回転軸を有する機構部により回転可能な表示部と、前記データを操作するための操作部を有した電子カメラ装置のような画像記録装置及び操作方式に関する。
【背景技術】
【０００２】
一般に、携帯型ビデオカメラあるいは携帯電話等の電子機器では、液晶パネル等により構成される表示部と、各種操作ボタンが配置された装置本体部が、回転可能に接続され、表示部を開く又は閉じるといった動作が可能である。このように回転可能な表示部を有する携帯情報端末の例が、下記特許文献１に開示されている。この文献による携帯情報端末は、表示部の回転角度に応じて表示部に表示される画像を上下左右反転し、様々な回転角度において表示部に、使用者から見て自然な方向の画像が表示される。
【０００３】
これら回転可能な表示部を有する電子機器の中には、互いに直交する方向の２軸を有する回転機構部により、表示部を第１の回転方向に開き、更に第２の方向に回転することで、表示部を任意の方向に向けることができる機種もある。
【特許文献１】特開２００４−４０３８２号公報
【発明の開示】
【発明が解決しようとする課題】
【０００４】
２軸の回転機構部を有する携帯型の電子機器では、例えば使用者が通常使う表示部の向きに対して、反対方向の向きに表示部を回転して使用することも可能である。しかし、表示部を通常使用する向きとは異なる方向に回転して機器を使用する場合、表示部に表示される画像の向きと操作部の向きとが、互いに逆になることがある。
【０００５】
使用者は、静止画像あるいは動画像を再生して表示部に表示する場合、表示される画像が自然な方向となるように機器を配置する。表示部の上下左右が使用者から見た上下左右であり、使用者は画面を基準に操作部を操作する。このため、回転する表示部を装備した機器では、表示部の向きに合わせて、操作部に設けられた操作キーに割り当てられた機能を可変することが望まれる。
【０００６】
本発明は、回転した表示部の向きに合わせて、操作部に割り当てられた機能を切り替えることにより、常に表示部を中心とした操作体系を使用者に提供することを目的とする。
【課題を解決するための手段】
【０００７】
本発明の一実施例に係る画像記録装置は、光学像を電気信号からなる画像に変換する撮影手段と、前記撮影手段によって得られた画像を表示する表示手段と、記録媒体を有し、前記撮影手段によって得られた画像を前記記録媒体に記録する記録手段と、前記記録媒体に記録された画像を再生する再生手段と、複数の機能が割り当てられ、前記複数の機能のうち１つを選択することにより、前記撮影手段と前記記録手段と前記再生手段に関する指示を含む動作指示を入力するための操作手段と、前記表示手段を保持及び回転させるための１軸以上の軸を含む機構部と、前記機構部により回転する前記表示手段の回転角度を検出する角度検出手段と、前記角度検出手段により検出された回転角度に応じて、前記操作手段に割り当てられた複数の機能を変更する変更手段とを備える。
【０００８】
前記操作手段に割り当てられた複数の機能を変更する前記変更手段の機能は、使用者により有効又は無効に設定可能である。
【発明の効果】
【０００９】
回転した表示部の向きに合わせて、操作部に割り当てられる機能を切り替えることにより、常に表示部を中心とした操作体系を使用者に提供することが可能となる。
【発明を実施するための最良の形態】
【００１０】
以下、図面を参照してこの発明の実施の形態を説明する。
【００１１】
図１（Ａ）、図１（Ｂ）は、本発明が適用される画像記録装置としての電子カメラ装置１の概観を示す図である。図１（Ａ）は電子カメラ装置１を前方下部から見たときの斜視図である。１０１は撮像レンズ、１０２はフラッシュ、１０３はシャッターボタン、１０４はリモコン受信部、１０５はバッテリーカバーである。
【００１２】
図１（Ｂ）は電子カメラ装置１を後方の左側から見たときの斜視図である。１１１は液晶モニタ、１１２はスピーカであり、これらは表示部１１０として一体化されている。この表示部１１０は、通常は電子カメラ装置１の本体の凹部に収まるもので、使用時には図に示すように開かれる。
【００１３】
１１５はムービー録画ボタンであり、動画記録を行うときに操作される。１１４はズームバーであり、ズーム調整に使用される。１１６ａは十字キーであり、リング状の台座１１６ｂに記された４つの矢印が示す方向のうち１方向に傾けることにより、方向に関する情報あるいは他の情報を装置１に入力することができ、また単に押下することにより決定の情報を装置１に入力できる。十字キー１１６ａと４つの矢印が記された台座１１６ｂを、ここでは十字キー操作部１１６という。１１７はメニューボタンであり、各種メニュー画面を表示するために使用され、十字キー１１６ａによりメニュー画面中の各種項目が選択及び確定される。１１８はモードレバーであり、撮影モード／再生モードの切替えを行うために使用される。１１９は着脱可能な半導体メモリカードを収容するスロットのカバーであり、１１３は電源オンオフ用のパワーボタンである。
【００１４】
図２は、上記の電子カメラ装置１の光学系、電気系の構成を示すブロック図である。レンズ１０１から取り込まれた被写体像は、撮像素子１２（例えばＣＣＤ撮像素子）の結像面に結像する。被写体像は、ここで電気信号に変換されアナログデジタル（Ａ／Ｄ）変換部１３によりデジタル信号に変換され、信号処理部１４に入力する。信号処理部１４では、ガンマ補正、色信号分離、ホワイトバランス調整等が行われる。撮像素子１２、Ａ／Ｄ変換部１３、信号処理部１４などは撮像部として機能する。
【００１５】
通常の撮影状態でシャッタ操作がなされていないときは、信号処理部１４からの映像データは、メモリコントローラ１５を介して画像表示処理部６１に入力される。ここでは、撮影した画像を液晶モニタ１１１に表示するための変換処理及びメニュー等の合成処理を行う。画像表示処理部６１からの画像データは、液晶モニタ１１１供給される。これにより、撮像中の画像、あるいはスタンバイ状態で狙っている被写体画像が液晶モニタ１１１に表示される。
【００１６】
シャッタ操作がなされると、撮像画像データは、画像圧縮・伸張処理部１６において、画像圧縮（例えばＪＰＥＧ方式による圧縮）され、ＣＰＵ（中央演算装置）２０の制御の元で、記録メディアインターフェース（Ｉ／Ｆ）３１を介してハードディスク３２Ａ、或いは半導体メモリ（例えばＳＤカードと称されるメモリ）３２Ｂに格納される。記録メディアとしては、ここに示したものに限定されず光ディスクであってもよい。
【００１７】
記録メディアに保存されている画像データが読み出された場合は、該画像データはＣＰＵ２０の制御の元で、画像圧縮・伸張処理部１６において伸張処理され、メモリコントローラ１５を介して画像表示処理部６１に入力される。これにより再生画像が液晶モニタ１１１に表示される。
【００１８】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている画像データは、メモリコントローラ１５を介して画像表示処理部６１に入力されるので、液晶モニタ１１１で画像編集の様子を確認することができる。
【００１９】
編集時あるいは撮影時には、ＣＰＵ２０により制御され、マイク４３、音声Ｉ／Ｆ４１を介して音声データも取り込むことができる。音声データは、撮影した画像データとペアとなり記録メディアに記録される。記録された音声データを再生するときは、撮像した画像データと同時に記録メディアから読み出し、画像再生を行いながら音声Ｉ／Ｆ３１を介してスピーカ１１２から音声出力することができる。但し、本発明では、画像を再生し、確認を行うときに音声は消音することも可能である。
【００２０】
ＣＰＵ２０に対しては、操作部２１及びリモコン受信部１０４を介して、外部からの操作信号が与えられる。撮影時にＣＰＵ２０は、制御部１８を介して、操作信号に応じてズーム調整、自動アイリス調整（ＡＥ）、自動フォーカス調整（ＡＦ）、フラッシュ制御等を行うことができる。またＣＰＵ２０は、外部接続インターフェース（図示せず）にも接続されており、カメラをＴＶなどの外部表示装置との接続も可能である。操作部２１は、ここでは、図１で示した各種の操作ボタンなどを総称して示している。１２６は表示部１１０の開閉を検知するスイッチ、１２８は表示部１１０の回転角度を検知するセンサである。
【００２１】
図３〜図５は本発明に係る電子カメラ装置の表示部１１０の様々な形態を示す図である。表示部１１０は互いに直交する方向の２軸を有する回転軸部１２０により、２つの回転方向に回転し、任意の位置に保持できる。
【００２２】
図３（Ａ）は表示部１１０を本体に格納した状態を示す。この場合、表示部は使用者から見ることができない状態となり、装置の電源がオフ状態になっている。このように、液晶モニタ１１１が内向きに閉じられ、電源がオフとなっている状態をここではオフポジションという。図３（Ｂ）は、図３（Ａ）の状態から表示部１１０を回転軸部１２０の回転により開いた状態を示す。図３（Ｃ）は図３（Ｂ）の状態から、回転軸部１２０を用いて表示部１１０を回転させた状態である。一般的にこの表示位置にて撮影を行う。このように、液晶モニタ１１１が十字キー１１６ａの方向を向いている状態をここではノーマルポジションという。
【００２３】
図４（Ａ）、図４（Ｂ）は図３（Ｃ）の状態から、回転軸部１２０を用いてレンズ面側に液晶モニタ１１１を向けた状態を示す。この状態を本実施形態では自分撮りポジションといい、使用者が使用者自身を撮影する場合に用いられる。
【００２４】
図５Ａは図３（Ｃ）のノーマルポジションから、回転軸部１２０を用い、表示部１１０を更に回転させた状態を示す。図３（Ｂ）の状態と比べ、表示部１１０が１８０°回転している。
【００２５】
図５（Ｂ）は図５Ａの状態から、回転軸部１２０を用いて表示部１１０を本体に格納した状態を示す。このように液晶モニタ１１１を外向きにして閉じられている状態を、ここではビューワーポジションという。このビューワーポジションは、例えば本装置を再生機として利用する場合に用いられる。
【００２６】
以上のように、表示部１１０と本体の結合部に、１つ以上の回転軸を持つ機器の場合、その表示部の位置により、いくつかの利用形態と、そのときの機能的な役割が存在する。
【００２７】
例えば図３（Ａ）の場合、表示部が格納され、表示される画像を見ることができないのであるから、電源をオフしておくことが使用形態としては適切である。図３（Ｂ）のように、使用者により表示部１１０が開かれた場合、使用者はこれから機器を使用することを前提としている行為であるから、電源が投入されることが使用形態として適切である。
【００２８】
図３（Ｃ）のノーマルポジションと図４の自分撮りポジションでは、撮影時、図６のように液晶モニタ１１１に表示される被写体が上下左右反転する。図６（Ｂ）ではレンズ部と液晶モニタ１１１が同じ方向を向いている（すなわち撮影者自身が被写体となっている）ため、表示部に表示される撮影者を含む画像を、鏡のように左右を反転させることで違和感の無い操作が可能となる。このように液晶モニタ１１１に被写体を左右反転して表示することを、ここでは鏡面表示という。
【００２９】
以下、本発明に係るキーアサインについて説明する。
【００３０】
図５（Ｂ）のビューワーポジションは、主に再生時に使われるポジションであるため、使用者は本装置を図７のような方向にして操作する。本実施形態では、例えば図６（Ａ）のノーマルポジションと図７のビューワーポジションでは、十字キー１１６ａを操作する方向を示す４つの矢印への機能割り当て（キーアサイン）が９０度異なっている。
【００３１】
図８（Ａ）、図８（Ｂ）は、ビューワーポジションとノーマルポジションでのキーアサインの違いを説明するための図である。
【００３２】
例えば、静止画再生の場合、液晶モニタ１１１には、左右の矢印Ｙ１、Ｙ２が表示される。これら矢印Ｙ１、Ｙ２は画像表示の変更方向を示す。図８（Ａ）のビューワーポジションにおいて、画像中の矢印Ｙ１と十字キー操作部１１６の矢印１は、方向及び機能が一致している。つまり、十字キー１１６ａを矢印１の方向（右方向）に倒すと、液晶モニタ１１１には次の画像が表示され、十字キー１１６ａを矢印２の方向（左方向）に倒すと、液晶モニタ１１１には１つ前の画像が表示される。
【００３３】
図８（Ｂ）のノーマルポジションの場合、画像中の矢印Ｙ１、Ｙ２と十字キー操作部１１６の矢印の方向及び機能を一致させるために、矢印４には”次の画像表示”の機能が割り当てられ、矢印３には”前の画像表示”の機能が割り当てられている。つまり本実施形態では、表示部１１０（液晶モニタ１１１）の方向に合わせて、図８（Ｂ）のノーマルポジションでは、図８（Ａ）のビューワーポジションに比べ、十字キー操作部１１６のキーアサインが時計方向に９０°異なっている。
【００３４】
また図６（Ｂ）のように、液晶モニタ１１１とレンズ部１０１が同一方向を向いた状態で操作する場合、使用者の見ている液晶モニタ１１１の画像と十字キーの操作方向が左右逆になるように機能が割り当てられている。
【００３５】
このように本発明は、表示部１１０の向き（回転角度）により、キーに割り当てられる機能を自動的に変更するものである。このように、表示部１１０の向きに応じて、キーに割り当てられる機能を自動的に変更するためには、表示部１１０が現在どの向きに設定されているかを判別する必要がある。
【００３６】
図９（Ａ）〜図９（Ｃ）は２軸回転部１２０の回転による表示部１２０の向きを示す図である。
【００３７】
図９（Ａ）は２軸回転部１２０の第一回転軸１２５による動きを示している。表示部１１０は図のように下を向いた状態である。ここで表示部１１０の向きは、表示部１１０に搭載された液晶モニタ１１１が向いている方向を示す。この状態では、回転軸１２０が角度α以上回転した場合は電源がオンに、逆に角度α以下に回転した場合は電源がオフになる。この回転角度αは表示部１２０に設けられたスイッチ１２６により検知される。
【００３８】
図９（Ｂ）は図９（Ａ）同様、２軸回転部の第一回転軸１２５による動きを示しているが、表示部１１０が上を向いている点が異なる。図９（Ａ）の状態から、第２回転軸１２７の動作により、図９（Ｃ）の状態を経て図９（Ｂ）の状態となる。このように、２軸回転部１２０の第２回転軸１２７の動作が必要となる。第２回転軸１２７の回転角度は、２軸回転部１２０に内蔵された角度センサ１２８により検知される。この場合、回転軸１２７の回転角度βに応じてキーアサイン及びポジションが決定される。例えば、回転角度βが０°〜１７５°の領域ではノーマルポジション、１７５°〜１８５°の領域ではビューワーポジション、１８５°〜３６５°の領域では自分撮りポジションと判断される。
【００３９】
次に本発明に係る画像記録装置としての電子カメラ装置のキーアサインに関する動作を説明する。
【００４０】
図１０は本発明に係る再生時のキーアサインに関する動作を示すフローチャートである。電子カメラ装置のモードとしては、撮影モード及び再生モードが用意されている。このモードはモードレバー１１８を操作することで変更可能である。
【００４１】
ステップＳ１０１のように、ＣＰＵ２０はモードレバー１１８の操作に応じて、装置のモードを決定する。ここでモードレバー１１８は、下方にスライドさせると撮影モード、上方にスライドさせると再生モードを選択することができる。再生モードが選択された場合、ＣＰＵ２０は装置を再生モードに設定し（ステップＳ１０２）、以下に示すキーアサイン変更機能が有効に設定されているか判断する（ステップＳ１０３）。この判断は、例えば不揮発性メモリ４３に記録されたユーザ設定情報を検索することにより行われる。つまり本装置は、キーアサイン変更機能を有効にするか無効にするかをユーザが設定可能である。
【００４２】
ＣＰＵ２０は２軸回転部２０の回転角度センサ１２８を用いて、表示部１１０の回転角度を検出する（ステップＳ１０４）。この回転角度に応じて、ＣＰＵ２０は本装置のポジションを判断する（ステップＳ１０５）。
【００４３】
ポジションがノーマルポジションの場合、ＣＰＵ２０は静止画（最後に撮影された画像）を液晶モニタ１１１に”通常表示”する（ステップＳ１０６）。この通常表示とは、図８（Ａ）又は図８（Ｂ）のように、表示されている画像の意味上の下方にスピーカ１１２が位置する表示である。
【００４４】
次にＣＰＵ２０はキーアサインを、ノーマルポジションに対応する通常のキーアサインに設定する（ステップＳ１０７）。この通常のキーアサインとは、ステップＳ１０７に示すように、図８（Ｂ）のノーマルポジションにおいて、矢印１を”９０°右回転”、矢印２を”９０°左回転”、矢印３を”前の画像を表示”、矢印４を”次の画像を表示”に割り当てることを示す。
【００４５】
ステップＳ１０５の判断の結果、ポジションがビューワーポジションであった場合、ＣＰＵ２０は静止画をノーマルポジションの場合と同様に通常表示する（ステップＳ１０８）。
【００４６】
次にＣＰＵ２０はキーアサインを、ビューワーポジションに対応する設定、すなわち通常のキーアサインに対して、操作部１１６上で左に９０°回転したキーアサインに設定する（ステップＳ１０９）。このキーアサインは、ステップＳ１０９に示すように、図８（Ａ）のビューワーポジションにおいて、矢印１を”次の画像を表示”、矢印２を”前の画像を表示”、矢印３を”９０°右回転”、矢印４を”９０°左回転”に割り当てることを示す。
【００４７】
ステップＳ１０５の判断の結果、ポジションが自分撮りポジションであった場合、ＣＰＵ２０は静止画をノーマルポジションに比べ、上下を反転して表示する（ステップＳ１１０）。この結果、液晶モニタ１１１には、表示されている画像の意味上の上方にスピーカ１１２が位置するように画像が表示される。
【００４８】
次にＣＰＵ２０はキーアサインを、自分撮りポジションに対応する設定、すなわち通常のキーアサインに対して、操作部１１６上で左右を逆にしたキーアサインに設定する（ステップＳ１１１）。このキーアサインは、ステップＳ１１１に示すように、図４の自分撮りポジションにおいて、矢印１を”９０°右回転”、矢印２を”９０°左回転”、矢印３を”次の画像を表示”、矢印４を”前の画像を表示”に割り当てることを示す。
【００４９】
次に撮影モードにおけるキーアサインについて説明する。図１１は撮影モードにおけるキーアサインに関する動作を示すフローチャートである。
【００５０】
撮影モードが選択された場合、図１１のステップＳ２０４のように、ＣＰＵ２０は本装置を撮影モードに設定し（ステップＳ２０１）、２軸回転部２０の回転角度センサ１２８により、表示部１１０の回転角度を検出する（ステップＳ２０３）。この回転角度に応じて、ＣＰＵ２０は装置のポジションを判断する（ステップＳ２０４）。
【００５１】
ポジションがノーマルポジションの場合、ＣＰＵ２０は撮影レンズ１０１で現在捕らえている映像を、液晶モニタ１１１に図８（Ｂ）のように通常表示する（ステップＳ１０６）
次にＣＰＵ２０はキーアサインを、撮影時のノーマルポジションに対応する通常のキーアサインに設定する（ステップＳ２０６）。この通常のキーアサインとは、ステップＳ２０６に示すように、図８（Ｂ）のノーマルポジションにおいて、矢印１を”フォーカス設定画面表示”、矢印２を”シーン設定画面表示”、矢印３を”フラッシュ設定画面表示”、矢印４を”露出補正画面表示”に割り当てることを示す。例えば十字キー１１６ａを矢印１の方向に倒すと、フォーカス設定画面が液晶モニタ１１１に表示される。
【００５２】
フォーカスの設定としては、フォーカスを自動で行う”オート”、約５ｍ以上離れた被写体を撮影するときに適した”無限遠”等がある。シーン設定としては、遠くの景色、風景等の撮影に適した”風景”、花火、夜景等の撮影に適した”夜景”等がある。フラッシュの設定としては、撮影状況に応じて自動的にフラッシュを発光する”オート”、必ずフラッシュを発光させる”強制発光”等がある。露出補正としては、被写体の適正な明るさ（露出）を得るために、例えば−２．０から＋２．０まで、１／３ＥＶ単位の設定が可能となっている。
【００５３】
以下、前述の再生時と同様に、ビューワーポジションでは、表示は通常表示に設定し（ステップＳ２０７）、キーアサインは通常のキーアサインに対して、操作部１１６上で左に９０°回転したキーアサインに設定する（ステップＳ２０８）。
【００５４】
自分撮りポジションでは、ノーマルポジションに比べ画像の上下を反転し、更に左右を反転して表示する（ステップＳ２０９）。これにより液晶モニタ１１１には、使用者が鏡に映っているような画像が表示される（鏡面表示：図６（Ｂ）参照）。キーアサインは、通常のキーアサインに対して、操作部１１６上で左右を逆にしたキーアサインに設定する（ステップＳ２１０）。
【００５５】
以上の結果、本発明の電子カメラ装置は、上記した如何なるポジションであっても、同一方向の矢印には同一の機能が割り当てられるので、装置の使い勝手が従来の装置に比べ著しく向上する。
【００５６】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００５７】
【図１】本発明が適用される電子カメラ装置の概観を示す図である。
【図２】上記電子カメラ装置の光学系、電気系の構成を示すブロック図である。
【図３】表示部を本体に格納した状態を示す図である。
【図４】回転軸部を用いてレンズ面側に液晶モニタ１１１を向けた状態を示す図である。
【図５】図３（Ｃ）のノーマルポジションから、回転軸部を用いて表示部１１０を更に回転させた状態を示す図である。
【図６】図３（Ｃ）のノーマルポジションから、回転軸部を用いて表示部１１０を更に回転させた状態を示す図である。
【図７】ビューワーポジションを示す図である。
【図８】ビューワーポジションとノーマルポジションでのキーアサインの違いを説明するための図である。
【図９】２軸回転部の回転による表示部の向きを示す図である。
【図１０】本発明に係る再生時のキーアサインに関する動作を示すフローチャートである。
【図１１】本発明に係る記録時のキーアサインに関する動作を示すフローチャートである。
【符号の説明】
【００５８】
１０１…撮像レンズ、１０２…フラッシュ、１０３…シャッターボタン、１０４…リモコン受信部、１０５…バッテリーカバー、１１０…表示部、１１１…液晶モニタ、１１２…スピーカ、１１３…パワーボタン、１１４…ズームバー、１１５…ムービー録画ボタン、１１６…十字キー操作部、１１６ａ…十字キー、１１６ｂ…台座、１１７…メニューボタン、１１８…モードレバー、１１９…カードスロットカバー
【図１】
2006279307.tif 000003
【図２】
2006279307.tif 000004
【図３】
2006279307.tif 000005
【図４】
2006279307.tif 000006
【図５】
2006279307.tif 000007
【図６】
2006279307.tif 000008
【図７】
2006279307.tif 000009
【図８】
2006279307.tif 000010
【図９】
2006279307.tif 000011
【図１０】
2006279307.tif 000012
【図１１】
2006279307.tif 000013